【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  コンテンツデータとこのコンテンツデータを送信する送信者識別データと、送信先を特定する送信先データと、この送信先に送信する日時データとを送信する第１の端末装置と、
上記コンテンツデータ、送信者識別データ、送信先データ及び日時データを上記第１の端末装置から受信し、上記送信先データと日時データに基づいて上記コンテンツデータを送信するサーバ装置と、
上記サーバ装置から送信されたコンテンツデータを受信し、このコンテンツデータを再生する第２の端末装置とを備えるデータ送受信システム。
【請求項２】  上記コンテンツデータは、音声データである請求項１記載のデータ送受信システム。
【請求項３】  上記コンテンツデータは、楽曲データである請求項１記載のデータ送受信システム。
【請求項４】  上記コンテンツデータは、広告データである請求項１記載のデータ送受信システム。
【請求項５】  上記コンテンツデータは、音声データと楽曲データと広告データの少なくとも２つからなる請求項１記載のデータ送受信システム。
【請求項６】  第１の端末装置がコンテンツデータとこのコンテンツデータを送信する送信者識別データと送信先を特定する送信先データとこの送信先に送信する日時データとをサーバ装置に送信するステップと、
上記サーバ装置がコンテンツデータ、送信者識別データ、送信先データ及び日時データを上記第１の端末装置から受信し、上記送信先データと日時データに基づいて上記コンテンツデータを第２の端末装置に送信するステップと、
上記第２の端末装置が上記サーバ装置から送信されたコンテンツデータを受信し、このコンテンツデータを再生するステップとを有するデータ送受信方法。
【請求項７】  第１の端末装置から送信されたコンテンツデータと、このコンテンツデータを送信する送信者識別データと、送信先を特定する送信先データと、この送信先に送信する日時データとを受信する受信手段と、
上記受信手段で受信した上記コンテンツデータ、送信者識別データ、送信先データ及び日時データを記憶する記憶手段と、
上記記憶手段に記憶されたコンテンツデータを第２の端末装置に送信する送信手段と、
上記記憶手段に記憶されたコンテンツデータを上記送信先データと日時データに基づいて上記送信手段より第２の端末装置に送信させる制御手段とを備えるサーバ装置。
【請求項８】  上記受信手段が、上記第２の端末装置がコンテンツデータを受信したことを示す受信完了データを受信したとき、上記制御手段は、上記送信手段より上記第１の端末装置に、この受信完了データを送信する請求項７記載のサーバ装置。
【請求項９】  上記第１の端末装置によって選択された更なるコンテンツデータを上記コンテンツデータと共に第２の端末装置に送信する請求項７記載のサーバ装置。
【請求項１０】  上記受信手段が広告データとこの広告データの広告主識別データとを第３の端末装置から受信したとき、上記制御手段は、上記送信手段から上記第２の端末装置にコンテンツデータと共に上記広告データを送信する請求項７記載のサーバ装置。
【請求項１１】  上記受信手段が、上記第２の端末装置が上記広告データとを受信したことを示す受信完了データを受信したとき、上記制御手段は、上記送信手段より上記送信手段より上記第３の端末装置に、この受信完了データを送信する請求項１０記載のサーバ装置。
【請求項１２】  上記第２の端末装置は、移動通信端末装置であり、
上記制御手段は、上記コンテンツデータと共に広告データを上記移動通信端末装置に送信するとき、上記移動通信端末装置の通話料データの減額処理を行う請求項１０記載のサーバ装置。
【請求項１３】  上記制御手段は、上記第３の端末装置の口座データに課金処理を行う請求項１０記載のサーバ装置。
【請求項１４】  第１の端末装置から送信されたコンテンツデータと、このコンテンツデータを送信する送信者識別データと、送信先を特定する送信先データと、この送信先に送信する日時データとを受信手段で受信するステップと、
上記受信手段で受信した上記コンテンツデータ、送信者識別データ、送信先データ及び日時データを記憶する記憶手段に記憶するステップと、
上記記憶手段に記憶されたコンテンツデータを、上記送信先データと日時データに基づいて第２の端末装置に送信手段より送信するステップとを有するサーバ装置のデータ送受信方法。
【請求項１５】  コンテンツデータと、このコンテンツデータを送信する送信者識別データと、送信先を特定する送信先データと、この送信先に送信する日時データとを記憶する記憶手段と、
データをサーバ装置に送信する送信手段と、
上記記憶手段に記憶された上記コンテンツデータ、送信者識別データ、送信先データ及び日時データを、上記送信手段より上記サーバ装置に送信する制御手段とを備える端末装置。
【請求項１６】  更に、データの受信手段を備え、
上記制御手段は、上記コンテンツデータの送信先となる端末装置がコンテンツデータを受信したことを示す受信完了データを上記受信手段で受信する請求項１５記載の端末装置。
【請求項１７】  上記制御手段は、上記サーバ装置にアクセスしたとき、上記コンテンツデータと共に上記送信先の端末装置に送信する更なるコンテンツデータを選択する請求項１５記載の端末装置。
【請求項１８】  コンテンツデータと、このコンテンツデータを送信する送信者識別データと、送信先を特定する送信先データと、この送信先に送信する日時データとを記憶手段に記憶するステップと、
上記記憶手段に記憶された上記コンテンツデータ、送信者識別データ、送信先データ及び日時データを、上記送信手段より送信するステップとを有する端末装置のデータ送受信方法。
【請求項１９】  送信元の端末装置からのコンテンツデータをサーバ装置から受信する受信手段と、
上記受信手段で受信したコンテンツデータを記憶する記憶手段と、
上記記憶手段に記憶されたコンテンツデータを再生する再生手段とを備える端末装置。
【請求項２０】  更にデータの送信手段を備え、
上記送信手段は、コンテンツデータを受信したことを示す受信完了データをサーバ装置を介して上記送信元の端末装置に送信する請求項１９記載の端末装置。
【請求項２１】  上記受信手段が広告データを受信したとき、送信手段は、この広告データを受信したことを示す受信完了データを上記サーバ装置を介して広告主端末装置に送信する請求項２０記載の端末装置。
【請求項２２】  送信元の端末装置からのコンテンツデータをサーバ装置から受信手段で受信するステップと、
上記受信手段で受信したコンテンツデータを記憶手段で記憶するステップと、
上記記憶手段に記憶されたコンテンツデータを再生手段で再生するステップとを有する端末装置のデータ送受信方法。
【手続補正２】
【補正対象書類名】明細書
【補正対象項目名】００２０
【補正方法】変更
【補正の内容】
【００２０】
このデータ送受信システム１は、図１に示すように、グリーティングメッセージを送信する送信者端末装置１０と、送信者端末装置１０から送信されたグリーティングメッセージを相手方に送信者希望日時に送信するサーバ装置３０と、サーバ装置３０より送信されたグリーティングメッセージを受信する携帯型電話装置４０とを備える。更に、このデータ送受信システム１は、サーバ装置３０に広告データをアップロードする広告主端末装置６０を備える。更に、このデータ送受信システム１は、携帯型電話装置４０の無線通信ネットワークの全体を管理する中央管理装置７０を備え、携帯型電話装置４０は、基地局２を介して中央管理装置７０に接続される。また、送信者端末装置１０と広告主端末装置６０と中央管理装置７０とは、ＩＳＤＮ（Integrated Services Digital Network）回線、ＣＡＴＶ（Cable Television）回線、光ケーブル回線等の電気通信回線を介してインターネット３内の本システムの管理者であるプロバイダのサーバ装置３０に接続される。すなわち、携帯型電話装置４０は、中央管理装置７０を介してインターネット３でサーバ装置３０に接続される。
【手続補正３】
【補正対象書類名】明細書
【補正対象項目名】００２５
【補正方法】変更
【補正の内容】
【００２５】
更に、グリーティングメッセージを音声で作成するときには、マイクロフォン１９に向かって、例えば「○月△日、お誕生日パーティーを開きましょう。」と話すと、マイクロフォン１９は、この音声を電気信号に変換し、Ａ／Ｄコンバータ２０が音声データをアナログ信号からディジタル信号に変換し、コーディック１６がディジタル信号に変換された音声データをエンコードする。そして、ＣＰＵ１５は、符号化された音声データをＨＤ１１に保存する。
【手続補正４】
【補正対象書類名】明細書
【補正対象項目名】００２６
【補正方法】変更
【補正の内容】
【００２６】
更に、ＨＤ１１には、様々な楽曲データが保存されている。例えば、ＣＰＵ１５は、楽曲データを再生するとき、ＨＤ１１より楽曲データを読み出し、コーディック１６に出力する。そして、楽曲データは、コーディック１６でデコードされＤ／Ａコンバータ１７でディジタル信号からアナログ信号に変換され、スピーカ１８より出力される。
【手続補正５】
【補正対象書類名】明細書
【補正対象項目名】００３４
【補正方法】変更
【補正の内容】
【００３４】
また、記憶部３１は、記憶部３１に構築されたデータベースの日時データが示す日時になると、その日時データに対応したグリーティングメッセージを記憶部３１より読み出し、送受信部３４より携帯型電話装置４０に送信する。このとき、制御部３６は、グリーティングメッセージと共に広告主端末装置６０より受信した広告データを送受信部３４より携帯型電話装置４０に送信する。
【手続補正６】
【補正対象書類名】明細書
【補正対象項目名】００３６
【補正方法】変更
【補正の内容】
【００３６】
サーバ装置３０からのグリーティングメッセージを受信する携帯型電話装置４０は、基地局２との間でデータの送受信を行うためのアンテナ４１と、送受信するデータを増幅するＲＦ部４２と、例えば４相位相偏移変調（ＱＰＳＫ：quadrature frequency shift keying）されたデータを復調する復調部４３と、時分割多元接続（ＴＤＭＡ:time division multiple access）方式等でチャネルコーディングされたデータより音声データ、楽曲データ、文章データ等を抽出すると共に送信するデータを同方式によってチャネルコーディングするチャネルコーディング部４４と、送信するデータを４相位相偏移変調等の方式により変調する変調部４５とを備える。
【手続補正７】
【補正対象書類名】明細書
【補正対象項目名】００４３
【補正方法】変更
【補正の内容】
【００４３】
また、サーバ装置３０に広告データをアップロードする広告主端末装置６０は、通常のパーソナルコンピュータとほぼ同じ構成を有する装置であり、広告データ等が保存されると共にサーバ装置３０に開設されたホームページを閲覧するための閲覧検索プログラム等の各種アプリケーションプログラムが記憶されたＨＤ６１と、全体の動作を制御する制御プログラムが記憶されたＲＯＭ６２と、ＨＤ６１やＲＯＭ６２に記憶されたプログラムがロードされるＲＡＭ６３と、サーバ装置３０とデータの送受信を行うための送受信部６４と、入力操作を行うための入力操作部６５と、サーバ装置３０からダウンロードしたホームページ等を表示する表示部６６と、外部記憶装置が装着されるドライブ６７と、ＲＡＭ５４にロードされたプログラムに基づいて全体の動作を制御するＣＰＵ６８とを備える。
【手続補正８】
【補正対象書類名】明細書
【補正対象項目名】００４６
【補正方法】変更
【補正の内容】
【００４６】
また、携帯型電話装置４０の無線通信ネットワークの全体を管理する中央管理装置７０は、基地局２やサーバ装置３０との間でデータの送受信を行う送受信部７１と、データをエンコード、デコードするコーディック７２と、全体の動作を制御する制御プログラム等が記憶されたＲＯＭ７３と、ＲＯＭ７３等に記憶された制御プログラムがロードされるＲＡＭ７４と、携帯型電話装置４０の通話管理データ等が記憶される記憶部７５と、ＲＡＭ７４にロードされたプログラムに基づいて全体の動作を制御する制御部７６とを備える。
【手続補正９】
【補正対象書類名】明細書
【補正対象項目名】００５１
【補正方法】変更
【補正の内容】
【００５１】
先ず、グリーティングメッセージを作成する者は、送信者端末装置１０によってグリーティングメッセージを作成する。具体的に、送信者は、入力操作部２１を操作することによって文章作成プログラムを起動し、例えば「○○ちゃん、二十歳のお誕生日おめでとう。」といった文章を入力し、この文章データをＨＤ１１に保存する。また、グリーティングメッセージを音声で作成するときには、送信がマイクロフォン１９に向かって、例えば「○月△日、お誕生日パーティーを開きましょう。」と話す。すると、送信者端末装置１０は、マイクロフォン１９で音声を電気信号に変換し、Ａ／Ｄコンバータ２０が音声データをアナログ信号からディジタル信号に変換し、コーディック１６がディジタル信号に変換された音声データをエンコードし、ＨＤ１１に保存する。
【手続補正１０】
【補正対象書類名】明細書
【補正対象項目名】０１０２
【補正方法】変更
【補正の内容】
【０１０２】
ここで、広告主端末装置６０の所有者である広告主は、予め本システムのサービス用に口座を指定しており、課金サーバ装置８０は、口座に対応して広告主口座用鍵とが記憶されている。したがって、認証が取れたとき、課金サーバ装置８０は、ステップＳ６８において、サーバ装置３０に広告主口座用鍵を送信する。
【手続補正１１】
【補正対象書類名】明細書
【補正対象項目名】０１１４
【補正方法】変更
【補正の内容】
【０１１４】
表４に示すように、例えば広告主である送信者ＩＤは、送信者端末装置１０の電子メールアドレスであり、送信先ＩＤは、送信先の携帯型電話装置４０の電話番号若しくは電子メールアドレスであり、日時データは、年、月、日、時刻から構成されている。そして、送信者ＩＤには、日時データと送信先ＩＤと広告データが関連されている。例えば、送信者ＩＤ「○○○co.jp」には、送信日時データである西暦２０００年１２月２４日、１８：００と、携帯型電話装置４０の送信先ＩＤである「○△□ne.jp」、「09012345678」、「09098765432」、「△□○ne.jp」が関連づけられている。そして、サーバ装置３０は、送信者端末装置１０からステップＳ８２においてデータを受信すると、ステップＳ８３において、随時データベースを更新する。
【手続補正１２】
【補正対象書類名】明細書
【補正対象項目名】０１３０
【補正方法】変更
【補正の内容】
【０１３０】
【表６】
2002163386.tif 000001
【手続補正１３】
【補正対象書類名】明細書
【補正対象項目名】０１３１
【補正方法】変更
【補正の内容】
【０１３１】
例えば、送信先ＩＤが「○△□ne.jp」の携帯型電話装置４０の所有者は、通話料金データが９０００円であり、割引データが２００円であるから、通話料金データに割引データを反映させた割引通話料金データが８８００円となり、送信先ＩＤが「09012345678」の携帯型電話装置４０の所有者は、通話料金データが７０００円であり、割引データが１００円であるから、通話料金データに割引データを反映させた割引通話料金データが６９００円となり、送信先ＩＤが「09098765432」の携帯型電話装置４０の所有者は、通話料金データが５０００円であり、割引データが２００円であるから、通話料金データに割引データを反映させた割引通話料金データが４８００円となり、送信先ＩＤが「△□○ne.jp」の携帯型電話装置４０の所有者は、通話料金データが６０００円であり、割引データが１００円であるから、通話料金データに割引データを反映させた割引通話料金データが５９００円となる。
【手続補正１４】
【補正対象書類名】明細書
【補正対象項目名】０１３３
【補正方法】変更
【補正の内容】
【０１３３】
ここで、送信者端末装置１０の所有者である広告主は、予め本システムのサービス用に口座を指定しており、課金サーバ装置８０は、口座に対応して広告主口座用鍵を記憶している。また、中央管理装置７０の管理者も、予め本システムのサービス用に口座を指定しており、口座に対応して管理者口座用鍵を記憶している。したがって、認証が取れたとき、課金サーバ装置８０は、ステップＳ１１２において、サーバ装置３０に広告主口座用鍵を送信し、また、中央管理装置７０に管理者口座用鍵を送信する。